(57)【要約】      （修正有）【課題】木材に対する突出量が短く運搬する際の積載スペースを有効に使用でき、接合時に縦材側に横材を引き寄せる力を発生できる木造建築用連結金物の提供。【解決手段】横材２の端面側に固定する付属金物４ａは、横材２の収容溝Ｕに収容されネジ止めされるブロック５ｂで、縦材１側には、縦孔１０ａを有する上受部１２を備え、横材２側に傾斜面１１ｄを有した下テーパ部９を備える。基本金物３ａは、縦材１側面にネジ止めされ、付属金物４ａと対をなすブロック５ａで、上部には、上受部１２の縦孔１０ａへの差し込みが可能で、横材２側の上テーパ部６を備え、下部に縦孔１０ｂを有する下受部１３を備え、前記下テーパ部９の差し込みを可能とし、上受部１２の縦孔１０ａ内の突出側が横材２側に向かって傾斜面１１ｃをなし、下受部１３の縦孔１０ｂの突出側は、縦材１側に向かって傾斜面１１ｂをなしている。【選択図】図１
2005350983.tif 000002
【特許請求の範囲】
【請求項１】
縦材（１）の側面と横材（２）の端面との突き合わせ箇所に収容されると共に、縦材（１）と横材（２）とを連結する木造建築用連結金物であって、
縦材（１）の側面に固定する基本金物（３ａ）と、横材（２）の端面側に固定する付属金物（４ａ）とからなり、
付属金物（４ａ）は、横材（２）の端面に設けた収容溝（Ｕ）の奥に収容されると共にラグスクリュー（１４）によってネジ止めされるブロック（５ｂ）であり、このブロック（５ｂ）の上部の縦材（１）側には、帯材によって囲まれた縦孔（１０ａ）を有する上受部（１２）を備える一方、下部には横材（２）側に向かって次第に高くなる傾斜面（１１ｄ）を有した下テーパ部（９）を備えており、
基本金物（３ａ）は、縦材（１）側面にネジ止めされると共に、前記付属金物（４ａ）と対をなす長さのブロック（５ａ）であり、このブロック（５ａ）の上部には、前記上受部（１２）の縦孔（１０ａ）への差し込みを可能とし、且つ横材（２）側に向かって次第に高くなる上テーパ部（６）を備える一方、下部の横材（２）側には、帯材によって囲まれた縦孔（１０ｂ）を有する下受部（１３）を備え、前記下テーパ部（９）の差し込みを可能としており、
前記上受部（１２）の縦孔（１０ａ）は、この縦孔（１０ａ）内の突出側の面が横材（２）側に向かって次第に高くなる傾斜面（１１ｃ）をなし、また下受部（１３）の縦孔（１０ｂ）の突出側の面は、縦材（１）側に向かって次第に低くなる傾斜面（１１ｂ）をなしており、
縦材（１）に付けた基本金物（３ａ）の上方から横材（２）に付けた付属金物（４ａ）を落とし込む際に、下テーパ部（９）の傾斜面（１１ｄ）が下受部（１３）の縦孔（１０ｂ）の傾斜面（１１ｂ）に沿って摺動する一方、上テーパ部（６）の傾斜面（１１ａ）に沿って上受部（１２）の縦孔（１０ａ）の傾斜面（１１ｃ）が摺動することで、前記基本金物（３ａ）と付属金物（４ａ）とが相対的に縦材（１）側に引き寄せられることを特徴とする木造建築用連結金物。
【請求項２】
縦材（１）の側面と横材（２）の端面との突き合わせ箇所に収容されると共に、縦材（１）と横材（２）とを連結する木造建築用連結金物であって、
縦材（１）の側面に固定する基本金物（３ａ）と、横材（２）の端面側に固定する付属金物（４ａ）とからなり、
付属金物（４ａ）は、横材（２）の端面に設けた収容溝（Ｕ）の奥に収容されるブロック（５ｂ）と、該ブロック（５ｂ）と一体的に形成され且つ前記スリット（Ｗ）に突入する連結片（２９）とからなり、この連結片（２９）は、横材（２）側面から通した留め具（３１）を挿入する抜穴（３０）を有し、またブロック（５ｂ）の上部の縦材（１）側には、帯材によって囲まれた縦孔（１０ａ）を有した上受部（１２）を備える一方、下部には横材（２）側に向かって次第に高くなる傾斜面（１１ｄ）を有した下テーパ部（９）を備えており、
基本金物（３ａ）は、縦材（１）側面にネジ止めされると共に、前記付属金物（４ａ）と対をなす長さのブロック（５ａ）であり、このブロック（５ａ）の上部には、前記上受部（１２）の縦孔（１０ａ）への差し込みを可能とし、且つ横材（２）側に向かって次第に高くなる上テーパ部（６）を備える一方、下部の横材（２）側には、帯材によって囲まれた縦孔（１０ｂ）を有する下受部（１３）を備え、前記下テーパ部（９）の差し込みを可能としており、
前記上受部（１２）の縦孔（１０ａ）は、この縦孔（１０ａ）内の突出側の面が横材（２）側に向かって次第に高くなる傾斜面（１１ｃ）をなし、また下受部（１３）の縦孔（１０ｂ）の突出側の面は、縦材（１）側に向かって次第に低くなる傾斜面（１１ｂ）をなしており、
縦材（１）に付けた基本金物（３ａ）の上方から横材（２）に付けた付属金物（４ａ）を落とし込む際に、下テーパ部（９）の傾斜面（１１ｄ）が下受部（１３）の縦孔（１０ｂ）の傾斜面（１１ｂ）に沿って摺動する一方、上テーパ部（６）の傾斜面（１１ａ）に沿って上受部（１２）の縦孔（１０ａ）の傾斜面（１１ｃ）が摺動することで、前記基本金物（３ａ）と付属金物（４ａ）とが相対的に縦材（１）側に引き寄せられることを特徴とする木造建築用連結金物。
【請求項３】
縦材（１）の側面と横材（２）の端面との突き合わせ箇所に収容されると共に、縦材（１）と横材（２）とを連結する木造建築用連結金物であって、
縦材（１）の側面に固定する基本金物（３ａ）と、横材（２）の端面側に固定する付属金物（４ａ）とからなり、
付属金物（４ａ）は、横材（２）の端面に設けた収容溝（Ｕ）の奥に収容されると共に、該収容溝（Ｕ）の奥にあけられた差込穴（３３）に収まる連結棒（３２）によってネジ止めされるブロック（５ｂ）であり、この連結棒（３２）は、横材（２）側面から通した留め具（３１）を挿入する抜穴（３０）を有し、このブロック（５ｂ）の上部の縦材（１）側には、帯材によって囲まれた縦孔（１０ａ）を有した上受部（１２）を備える一方、下部には横材（２）側に向かって次第に高くなる傾斜面（１１ｄ）を有した下テーパ部（９）を備えており、
基本金物（３ａ）は、縦材（１）側面にネジ止めされると共に、前記付属金物（４ａ）と対をなす長さのブロック（５ａ）であり、このブロック（５ａ）の上部には、前記上受部（１２）の縦孔（１０ａ）への差し込みを可能とし、且つ横材（２）側に向かって次第に高くなる上テーパ部（６）を備える一方、下部の横材（２）側には、帯材によって囲まれる縦孔（１０ｂ）を有した下受部（１３）を備え、前記下テーパ部（９）の差し込みを可能としており、
前記上受部（１２）の縦孔（１０ａ）は、この縦孔（１０ａ）内の突出側の面が横材（２）側に向かって次第に高くなる傾斜面（１１ｃ）をなし、また下受部（１３）の縦孔（１０ｂ）の突出側の面は、縦材（１）側に向かって次第に低くなる傾斜面（１１ｂ）をなしており、
縦材（１）に付けた基本金物（３ａ）の上方から横材（２）に付けた付属金物（４ａ）を落とし込む際に、下テーパ部（９）の傾斜面（１１ｄ）が下受部（１３）の縦孔（１０ｂ）の傾斜面（１１ｂ）に沿って摺動する一方、上テーパ部（６）の傾斜面（１１ａ）に沿って上受部（１２）の縦孔（１０ａ）の傾斜面（１１ｃ）が摺動することで、前記基本金物（３ａ）と付属金物（４ａ）とが相対的に縦材（１）側に引き寄せられることを特徴とする木造建築用連結金物。
【請求項４】
縦材（１）の側面と横材（２）の端面との突き合わせ箇所に収容されると共に、縦材（１）と横材（２）とを連結する木造建築用連結金物であって、
縦材（１）の側面に固定する基本金物（３ｂ）と、横材（２）の端面側に固定する付属金物（４ｂ）とからなり、
付属金物（４ｂ）は、横材（２）の端面に設けた収容溝（Ｕ）の奥に収容されると共にラグスクリュー（１４）によってネジ止めされるブロック（５ｂ）であり、このブロック（５ｂ）の上部の縦材（１）側には、下片に切欠（３９ａ）を有した上掛部（３７）を備える一方、下部の側面には横方向に突出する下突起（３８ｂ）を備えており、
基本金物（３ｂ）は、縦材（１）側面にネジ止めされると共に、前記付属金物（４ｂ）と対をなす長さのブロック（５ａ）であり、このブロック（５ａ）の上部には、前記上掛部（３７）の切欠（３９ａ）により係止される横方向に突出した上突起（３８ａ）を備える一方、下部の横材（２）側には下掛部（３６）を備えて前記下突起（３８ｂ）への係止を可能としており、
前記上掛部（３７）の切欠（３９ａ）は、この切欠（３９ａ）内の突出側が横材（２）側に向かって次第に高くなる傾斜状をなし、また下掛部（３６）の切欠（３９ｂ）の突出側は、縦材（１）側に向かって次第に低くなる傾斜状をなしており、
縦材（１）に付けた基本金物（３ｂ）の上方から横材（２）に付けた付属金物（４ｂ）を落とし込む際に、下突起（３８ｂ）が下掛部（３６）の切欠（３９ｂ）の傾斜部分に沿って摺動する一方、上掛部（３７）の切欠（３９ａ）の傾斜部分に沿って摺動することで、前記基本金物（３ｂ）と付属金物（４ｂ）とが相対的に縦材（１）側に引き寄せられることを特徴とする木造建築用連結金物。
【請求項５】
前記収容溝（Ｕ）の奥から横材（２）内には、ラグスクリュー（１４）をねじ込んでブロック（５ｂ）にネジ止めするか、又は／及び、連結棒（３２）を差し込んでブロック（５ｂ）とネジ止めしていることを特徴とする請求項２記載の木造建築用連結金具。
【発明の詳細な説明】
【技術分野】
【０００１】
本発明は、縦材（柱、梁、桁等）と横材（梁、桁等）を連結する木造建築用連結金物に関する。
【背景技術】
【０００２】
従来の縦材と横材とを連結する木造建築用連結金物として、おもに剛接合されるものでは図１１のように、あらかじめ縦材４１にあけられた雌ネジに、ネジ作用で留められるラグスクリュー４４を差し込み、さらに前記ラグスクリュー４４の一端側に設けた雌ネジに継手４３ａをネジ４６止めし、一方の横材４２側においてもラグスクリュー４４を差し込んで、その雌ネジに継手４３ｂをネジ４６止めし、さらに横材４２と縦材４１との接合に際して当接した各継手４３ａ，４３ｂ間に金属板４５を宛った後、これをボルト止めして結合するもの等が知られている。
【特許文献１】特開平８−１２０７９１号公報
【０００３】
木材同士を剛接合する場合、通常は木材の耐性よりも連結金物の強度が遙かに勝ることから、例えば地震時に上部構造物へ振動が伝達した場合、連結金物よりも先に木材の耐性が失われ、これにより短時間での上部構造物の崩壊を招く懸念があった。このことから、金物の強度に合わせて木材を太くする等の対策を施す必要があり、コストの大幅な増大も余儀なくされた。
【０００４】
縦材と横材とを連結するための現場での作業時間を短縮するには、連結金物を工場で予め取り付けておくことが望ましい。しかしながら上述した連結金物は、木材に対する接合板の突出長が長いため、工場で木材に連結金物を固定すると、自動車等に積載して運搬する際にその突出長分だけ積載スペースが無駄になり、積載量が少なくなるという問題がある。
【発明の開示】
【発明が解決しようとする課題】
【０００５】
本発明は上記課題を鑑みて開発されたものであり、例えば地震時における短時間での上部構造物の崩壊を防ぎ、また木材に対する突出量が従来よりも短くて済み、工場等から運搬する際の積載スペースを有効に使用でき、しかも接合時には、縦材側に横材を引き寄せる力を発生できる木造建築用連結金物を提供することである。
【課題を解決するための手段】
【０００６】
本発明のうち請求項１記載の発明は、縦材の側面と横材の端面との突き合わせ箇所に収容されると共に、縦材と横材とを連結する木造建築用連結金物であって、縦材の側面に固定する基本金物と、横材の端面側に固定する付属金物とからなり、付属金物は、横材の端面に設けた収容溝の奥に収容されると共にラグスクリューによってネジ止めされるブロックであり、このブロックの上部の縦材側には、帯材によって囲まれた縦孔を有する上受部を備える一方、下部には横材側に向かって次第に高くなる傾斜面を有した下テーパ部を備えており、基本金物は、縦材側面にネジ止めされると共に、前記付属金物と対をなす長さのブロックであり、このブロックの上部には、前記上受部の縦孔への差し込みを可能とし、且つ横材側に向かって次第に高くなる上テーパ部を備える一方、下部の横材側には、帯材によって囲まれた縦孔を有する下受部を備え、前記下テーパ部の差し込みを可能としており、前記上受部の縦孔は、この縦孔内の突出側の面が横材側に向かって次第に高くなる傾斜面をなし、また下受部の縦孔の突出側の面は、縦材側に向かって次第に低くなる傾斜面をなしており、縦材に付けた基本金物の上方から横材に付けた付属金物を落とし込む際に、下テーパ部の傾斜面が下受部の縦孔の傾斜面に沿って摺動する一方、上テーパ部の傾斜面に沿って上受部の縦孔の傾斜面が摺動することで、前記基本金物と付属金物とが相対的に縦材側に引き寄せられることを特徴とする。
【０００７】
縦材と基本金物との取り付けについては、例えばラグスクリューを用いてもよいし、あるいは単にボルト止めしてもよい。またネジ止めされるラグスクリューの設置数は、木材の太さや連結金物の大きさによって適宜変更でき、例えば、木材側面の左右に並列で２本のラグスクリューを連結したり、あるいは上下の３箇所に３本のラグスクリューを連結することも可能である。さらに帯材はブロックに比べて肉厚が薄く、上下の各テーパ部が差し込まれて把持できるような態様をなすものであればよく、例えば、コ字型の金属片の開放側をブロックに溶接したものや、あるいはＵ字型をなす金属製バンド等が挙げられる。
【０００８】
また請求項２記載の発明では、請求項１において横材内にねじ込んだラグスクリューに代えて、付属金物としてブロックと一体的に形成した連結片を使用しており、この連結片は、横材側面から通した留め具を挿入する抜穴を有したものである。さらに詳細には、収容溝の奥から横材内にスリットを設け、このスリットに前記連結片を差し込むと共に、横材側面から抜穴を通すように留め具を挿入することで、基本金物への付属金物の接合を行っている。
尚、留め具としては、ドリフトピンやボルト等が挙げられる。また連結片の数や形状については特に限定せず、前述したラグスクリューと同様に木材の太さ等の条件の変化で適宜変更できる。
【０００９】
さらに請求項３記載の発明では、請求項１において横材内にねじ込んだラグスクリュー、そして請求項２において横材内のスリットに差し込むブロックと一体的な連結片に代えて、連結棒を使用しており、この連結棒は、横材側面から通した留め具を挿入する抜穴を有したものである。さらに詳細には、収容溝の奥から横材内に連結棒用の差込穴を設け、この差込穴に連結棒を差し込むと共に、横材側面から抜穴を通すように留め具を挿入することで、基本金物への付属金物の接合を行っている。
尚、連結棒の態様は、例えば筒状、杆状などの様々なものが適用でき、棒の延長方向と交差する方向に留め具の抜穴を設けられればよい。
【００１０】
以上のように形成した連結金物は、付属金物を基本金物に落としこんだ際、付属金物の下テーパ部が基本金物の下受部の縦孔に差し込まれ、この縦孔内の傾斜面に沿って下方に摺動する。これと同時に、前記付属金物の上受部の縦孔内に基本金物の上テーパ部が差し込まれ、縦孔内の傾斜面に沿って上方に移動するので、付属金物が縦材側に引き寄せられると共に、上下各受部の縦孔内に上下各テーパ部が差し込まれるので、左右のズレや離脱が防がれ、連結金物による縦材と横材との精度の高い連結状態が確保される。しかも、基本金物と付属金物とは、上テーパ部が上受部の縦孔へ、また下テーパ部が下受部の縦孔へそれぞれ差し込まれることで各々の連結がなされており、従って、縦材と横材との連結箇所に回転モーメントが加わった際には、上受部と下受部とが帯状をなすことによって、本連結金物の他部よりも肉厚が薄く形成された前記上受部と下受部とが先ず最初に引っ張り力に追従して引張し、鉄の材質性能を生かした粘りのある接合がなされることで、木材側への衝撃の伝達を飛躍的に軽減できる。
【００１１】
そして、基本金物に付属金物を落とし込んで連結すると、縦材から付属金物の先端までの突出長は、縦材から基本金物の突出長に比べれば大幅に長い。これは、縦材に対する基本金物の突出長が短いことを意味しており、結論としては、縦材に基本金物を取り付けた場合の積載スペースを従来よりも大幅に減らせる。また付属金物は、請求項１、２及び３に記載の連結金物共に、収容溝及びスリット、差込穴内に収容されるので、横材に取り付けても、積載スペースは横材単体と同じである。
【００１２】
また請求項４記載の発明では、付属金物は、横材の端面に設けた収容溝の奥に収容されると共にラグスクリューによってネジ止めされるブロックであり、このブロックの上部の縦材側には、下片に切欠を有した上掛部を備える一方、下部の左右側面には横方向に突出する下突起を備えており、基本金物は、縦材側面にネジ止めされると共に、前記付属金物と対をなす長さのブロックであり、このブロックの上部には、前記上掛部の切欠により係止される横方向に突出した上突起を備える一方、下部の横材側には下掛部を備えて前記下突起への係止を可能としており、前記上掛部の切欠は、この切欠内の突出側が横材側に向かって次第に高くなる傾斜状をなし、また下掛部の切欠の突出側は、縦材側に向かって次第に低くなる傾斜状をなしており、縦材に付けた基本金物の上方から横材に付けた付属金物を落とし込む際に、下突起が下掛部の切欠の傾斜部分に沿って摺動する一方、上掛部の切欠の傾斜部分に沿って摺動することで、前記基本金物と付属金物とが相対的に縦材側に引き寄せられることものである。
尚、上掛部及び下掛部の数は、金物の連結時の安定性を考慮してブロックの左右両側面に各々設けることが望ましいが、例えば、左右側面のいずれか１箇所にのみに設けてもよい。
【００１３】
また請求項５記載の発明では、前記収容溝の奥から横材内には、ラグスクリューをねじ込んでブロックにネジ止めするか、又は／及び、連結棒を差し込んでブロックとネジ止めしているので、付属金具側のブロックを、前述したラグスクリュー又は／及び連結棒にネジ止めすれば、前記連結片との相乗的な結合がなされ、接合強度の向上が見込まれる。
【発明の効果】
【００１４】
本発明によれば、木材が脆性的に破壊される前に連結金物の破壊に至り、鉄の性質である粘りを利用した接合部を構築し、例えば、地震時等における上部構造物の短時間の崩壊が免れる。また上下の各テーパ部が対応する上下の各受部の傾斜面に沿って摺動して縦材側に引き寄せられ、これにより、基本金物と付属金物とが連結されると共に、縦材の側面に横材の端面を押し付ける方向に力が働くことで、縦材と横材との連結強度も向上する。
【００１５】
また、連結金物を基本金物と付属金物に分けることによって、基本金物の付いた縦材と付属金物の付いた横材との一本当たりの占有空間を従来よりも大幅に減らすことができ、工場で予め基本金物と付属金物を付けた状態で運搬する際の積載スペースを減らすことができ、その結果、積載スペースを有効活用できる。さらに連結金物が木材に隠れた状態となるから、耐火性や熱橋が飛躍的に向上し、地震時とは反して連結状態を長時間維持することで、上部構造物火災時の崩落速度の鈍化が図られ、しかも熱橋による結露も防がれ、さらに基本金物、付属金物が上下に返せば同一の形状をなすことで、金物はどちらか１種類のみを用意すればよく、金物製造コストの削減に寄与できる。
【００１６】
本発明のうち請求項５記載の発明によれば、請求項２記載の発明の効果に加えて、ラグスクリューと留め具とが相乗的に接合し、縦材と横材との連結強度をより一層向上できる。
【発明を実施するための最良の形態】
【００１７】
本発明の木造建築用連結金物の第１実施形態は図１に示すように、縦材１の側面に固定する基本金物３ａと、横材２の端面内に収容される付属金物４ａとからなる。
【００１８】
基本金物３ａを付ける縦材１は、予めラグスクリュー１４がねじ込まれており、このラグスクリュー１４の縦材１への取り付けについては、縦材１側面の横幅方向の中央部にドリル工具等を用いてあけた埋め込み穴を介して行われている。
【００１９】
基本金物３ａは図１と図２に示すように、縦材１の側面において上下に間隔をあけた２箇所に、埋め込み穴を介して各々ねじ込まれたラグスクリュー１４にネジ止めされる縦長のブロック５ａ状をなし、このブロック５ａの上部には上テーパ部６を、下部には下受部１３をそれぞれ備え、さらにブロック５ａの上下の中間位置には、付属金物４ａとの接合を補助する２枚のフック１５，１５をブロック５ａ側面の左右に溶接している。まず上テーパ部６は、頂面から縦材１側に向かって次第に低くなる傾斜面１１ａを有しており、また前記頂面には天板２２ａ用のボルト穴２４を設けている。次に下受部１３は、コ字型をなす金属片の開放側を前記ブロック５ａの下端部に溶接したものであり、これにより前記金属片に囲まれた縦孔１０ｂを形成している。この縦孔１０ｂは、金属片で囲まれた内壁面のうちの横材２側にある面が、縦材１側に向かって次第に低くなる傾斜面１１ｂとなっており、さらに縦孔１０ｂの形状・大きさは、付属金物４ａの下テーパ部９とほぼ一致するものとなっている。またブロック５ａの下端面においても底板２２ｂ用のボルト穴２３が設けてある。さらに前記フック１５は、方形をなす金属板の上辺に半円状の切欠１６を設けており、この切欠１６には、付属金物４ａの側面に設けた凸部１７が係止される。
【００２０】
一方、付属金物４ａは図１と図２に示すように、前述した基本金物３ａと対をなすブロック５ｂ状をなすものである。具体的には、このブロック５ｂの上部において縦材１側に向けて、コ字型をなす金属片の開放側を前記ブロック５ｂの上端部に溶接してあり、金属片とブロック５ｂ側面とに囲まれた空間によって縦孔１０ａを形成している。そして前記縦孔１０ａは、金属片で囲まれた内壁面のうちの縦材１側にある面が、横材２側に向かって次第に高くなる傾斜面１１ｃとなっており、さらに縦孔１０ａの形状・大きさは、前述した基本金物３ａの上テーパ部６とほぼ一致するものとなっている。さらに凸部１７は円柱状をなすもので、ブロック５ｂの左右側面からそれぞれ相反する方向に突出しており、基本金物３ａの各フック１５，１５の切欠１６，１６に係止される。また前記ブロック５ｂの横材２への取り付けは、ブロック５ｂの上下２箇所に設けた各座繰り穴２７，２７にそれぞれボルト２６を通し、このボルト２６の先端を横材２に埋め込まれたラグスクリュー１４にネジ込むことで行われる。
尚、基本金物３ａのフック１５、及び付属金物４ａの凸部１７は、ブロック５ａ，５ｂの長さによって設置の有無が決定される。
【００２１】
以上、第一実施形態で示した本連結金物は以下の要領で使用する。まず図２（ａ）に示すように、縦材１の横幅方向の中央部に設けた上下２箇所の各埋め込み穴に、それぞれ横材２との接合面側からラグスクリュー１４，１４をねじ込んで縦材１に固定する。そして前記ラグスクリュー１４への基本金物３ａの取り付けについては、ブロック５ａの側面の上下２箇所に設けた座繰り穴２０にそれぞれボルト１８の頭部が収容されるまで入れ、ブロック５ａの縦材１への当接面から突出したボルト１８の先端をラグスクリュー１４側のボルト穴に各々羅合して行われる。次に付属金物４ａについては、前述の基本金物３ａとほぼ同様の手法で横材２への取り付けがなされる。特に基本金物３ａと相違する部分について説明すれば、横材２の収容溝Ｕの奥にラグスクリュー１４用の埋め込み穴を設けている点であり、そうすることで、付属金物４ａ側のブロック５ｂは収容溝Ｕに収まった状態で取り付けられ、横材２の端面から突出しなくなる。
【００２２】
そして、縦材１に付けた基本金物３ａと横材２に付けた付属金物４ａとの連結は以下のように行われる（図２（ｂ）参照）。
基本金物３ａを付けた縦材１に付属金物４ａを付けた横材２を落とし込み、付属金物４ａの下テーパ部９を基本金物３ａの下受部１３の縦孔１０ｂの傾斜面１１ｂに沿って滑り込ませるように入れ、また、付属金物４ａの上受部１２の縦孔１０ａの傾斜面１１ｃを基本金物３ａの上テーパ部６の傾斜面１１ａに沿って滑り込ませることで、図３に示すように、付属金物４ａが斜め下側に滑り込むように基本金物３ａと当接する。この際、付属金物４ａが相対的に縦材１側に僅かに引き寄せられ、縦材１の側面と横材２端面とのガタツキがなくなって横材２の端面が縦材１の側面に強く押し付けられ、縦材１と横材２との連結強度が向上する。さらに基本金物３ａのフック１５，１５の切欠１６，１６には、付属金物４ａの凸部１７，１７が係止され、基本金物３ａと付属金物４ａとの各ブロック５ａ，５ｂの頂面、及び底面には、２つの貫通孔２３，２３を備えた天板２２ａと底板２２ｂとがそれぞれ宛われ、前記貫通孔２３，２３に通したボルト２５を各ブロック５ａ，５ｂのボルト穴２４に各々羅合することで、基本金物３ａと付属金物４ａとの連結強度を一層高めている。
【００２３】
本発明の木造建築用連結金物の第２実施形態は図４（ａ）（ｂ）と図５に示すように、付属金物４ａのブロック５ｂと連結片２９とを一体化したものを適用している。
そして前記連結片２９は、付属金物４ａと一致する上下幅を有しており、さらに連結片２９側面の上下に間隔をあけた３箇所には、ドリフトピン３１を差し込むための抜孔３０，３０，３０をそれぞれ設けてある。一方、横材２の収容溝Ｕ奥の横幅方向の中央部には、前記連結片２９を差し込むスリットＷを設けており、横材２端面への付属金物４ａの取り付け時には、前記スリットＷに連結片２９を差し入れ、さらに横材２の側面からドリフトピン３１を打ち込むことで、このドリフトピン３１が前記連結片２９の抜孔３０を貫通して、連結片２９の抜け出しを不能としている。
【００２４】
また図６（ａ）（ｂ）と図７は、本発明の木造建築用連結金物の第３実施形態を示すものである。この態様についても前述した各実施形態のものと同様の手順で使用されるので、詳細な説明は省略し、相違する構成のみを以下に示す。
本連結金物は、横材２の収容溝Ｕ奥の上下に間隔をあけた２箇所に差込穴３３，３３をあけ、そこに連結棒３２を差し入れたものである。そして連結棒３２には、横方向に貫通するドリフトピン３１用の抜孔３０を左右に間隔をあけた２箇所に設けており、前記連結棒３２の差し込み時、横材２側面からドリフトピン３１を打ち込んで連結棒３２の抜孔３０に通し、連結棒３２の抜け出しを不能としている。また付属金物４ａのブロック５ｂを取り付ける際には、横材２の収容溝Ｕに前記ブロック５ｂを収め、このブロック５ｂの座繰り孔３４にボルト３５を入れて横材２側にネジ入れることで、このボルト３５の突出先端が連結棒３２側のボルト穴に羅合する。
【００２５】
図８（ａ）（ｂ）は、本発明の木造建築用連結金物の第４実施形態を示すものである。
この連結金物は、横材２の収容溝Ｕの上下に間隔をあけた２箇所にラグスクリュー１４用の埋め込み穴を、さらに連結片２９用のスリットＷをそれぞれ設けたものである。そして付属金物４ａのブロック５ｂには前述した第２実施形態と同じく、連結片２９が一体的に形成してあるが、この連結片２９の上下幅はブロック５ｂに比べて幅を狭く形成している。これは、ブロック５ｂとラグスクリュー１４とのボルト止めを行うスペースを確保するためであり、連結片２９は上下のラグスクリュー１４，１４間に差し込まれるものである。また本付属金物４ａの取り付けの手順については、ブロック５ｂとラグスクリュー１４，１４とをボルト止めした後に、横材２側面からドリフトピン３１を打ち込み、さらにドリフトピン３１の先端をスリットＷに差し込まれた連結片２９の抜孔３０に通し、横材２からの連結片２９の抜け出しを不能にしている。
【００２６】
図９は、本発明の木造建築用連結金物の第５実施形態を示すものである。
この連結金物は、連結時、基本金物３ａ側のブロック５ａと付属金物４ａ側のブロック５ｂとのボルト１８，２６を通す座繰り孔２０，２７の箇所を上下に相違させたものである。これは、縦材１の２以上の側面に横材２を接合する際のラグスクリュー１４同士の干渉を免れるためであり、これに伴って、横材２へのラグスクリュー１４のネジ込む箇所も上下に相違させ、縦材１の２以上の側面に接合する横材２の高さを面一となるようにしている。
尚、本実施形態の連結金物は、この態様のものが１つあれば様々な連結箇所、連結形態に合わせて使用できるようになる。
【００２７】
図１０（ａ）（ｂ）は、本発明の木造建築用連結金物の第６実施形態を示すものである。
この連結金物は、前述した各実施形態の上下各テーパ部６，９、及び上下各受部１２，１３に代えて、上下各掛部３６，３７、及び上下各突起３８ａ，３８ｂをそれぞれ備えたものである。具体的にはまず、本連結金物の付属金物４ｂ側の上掛部３７は、その下辺において半円状の切欠３９ａを有するフック状をなしており、この切欠３９ａの突出側には、横材２側に向かって次第に高くなる傾斜部分を有している。また下突起３８ｂは、ブロック５ｂ下部の左右両側面に、それぞれが水平方向の外側に向けて相反する方向に突出している。一方、基本金物３ｂ側の下掛部３６は、前述した上掛部３７に相反して上片に切欠３９ｂを有するフック状をなし、この切欠３９ｂの突出側は、縦材１側に向かって次第に低くなる傾斜部分を有している。また上突起３８ａは、前述した下突起３８ｂに対し、ブロック５ａ上部の左右両側面に、それぞれが水平方向の外側に向けて相反する方向に突出している。そして付属金物４ｂを基本金物３ｂに連結する際、下突起３８ｂ，３８ｂが下掛部３６の切欠３９ｂに係止され、これと同時に上掛部３７の切欠３９ａが、上突起３８ａ，３８ａを係止することで、基本金物３ｂと付属金物４ｂとが引き寄せ合うように作用しながら連結される。また本態様の場合でも、鉄の材質特性を生かした粘りのある連結がなされ、例えば地震時には、上掛部３７と下掛部３６とが引張することで、木材が脆性的に破壊される前に本連結金物が先に壊れることとなる。
尚、本実施形態では、比較的長手のものを使用しているために、付属金物４ｂ側のブロック５ｂには下向きの鉤部４０ｂを、また基本金物３ｂ側のブロック５ａには上向きの鉤部４０ａを各々備えており、連結状態をサポートしているが、例えば本連結金物が短手の場合には、上下各掛部３６，３７と上下各突起３８ａ，３８ｂとの係合のみであっても充分に連結強度が確保されるから、必ずしも備えなくてもよい。
【図面の簡単な説明】
【００２８】
【図１】本発明の木造建築用連結金物の使用手順の初期段階を示す斜視図である。
【図２】図は、第１実施形態の木造建築用連結金物の取付け手順を示す側面図である。
【図３】第１実施形態の木造建築用連結金物の連結後の状態を示す斜視図である。
【図４】（ａ）（ｂ）図は、第２実施形態の木造建築用連結金物の取付け手順を示す側面図である。
【図５】図４（ｂ）を横断面した平面図である。
【図６】（ａ）（ｂ）図は、第３実施形態の木造建築用連結金物の取付け手順を示す側面図である。
【図７】図６（ｂ）を横断面した平面図である。
【図８】（ａ）（ｂ）図は、第４実施形態の木造建築用連結金物の取付け手順を示す側面図である。
【図９】第５実施形態の木造建築用連結金物の取付けの状態を示す側面図である。
【図１０】（ａ）（ｂ）図は、第６実施形態の木造建築用連結金物の取付けの状態を示す側面図である。
【図１１】従来の剛接合において使用された木造建築用連結金物の取付けの状態を示す側面図である。
【符号の説明】
【００２９】
１  縦材
２  横材
３ａ，３ｂ  基本金物
４ａ，４ｂ  付属金物
５ａ，５ｂ  ブロック
６  上テーパ部
９  下テーパ部
１０ａ，１０ｂ  縦孔
１１ａ，１１ｂ，１１ｃ，１１ｄ  傾斜面
１２  上受部
１３  下受部
１４  ラグスクリュー
２９  連結片
３０  抜孔
３１  ドリフトピン（留め具）
３２  連結棒
３３  差込穴
３６  下掛部
３７  上掛部
３８ａ  上突起
３８ｂ  下突起
３９ａ，３９ｂ  切欠
Ｕ  収容溝
Ｗ  スリット
【図１】
2005350983.tif 000003
【図２】
2005350983.tif 000004
【図３】
2005350983.tif 000005
【図４】
2005350983.tif 000006
【図５】
2005350983.tif 000007
【図６】
2005350983.tif 000008
【図７】
2005350983.tif 000009
【図８】
2005350983.tif 000010
【図９】
2005350983.tif 000011
【図１０】
2005350983.tif 000012
【図１１】
2005350983.tif 000013